(57)【特許請求の範囲】
【請求項１】
液透過性の表面シート、液不透過性の裏面シート及び前記表面シートと前記裏面シートとの間に設けられる吸収体を有する吸収性物品であって、
前記表面シートより非肌当接面側に配置され、多数の粒状体を含む粒状層と、
前記吸収性物品の幅方向の中心を含み、かつ平面視において前記粒状層に重ならない中央領域と、
前記中央領域の幅方向の外側において前記中央領域に隣接し、かつ平面視において前記粒状層に重なる幅側部領域と、を有する吸収性物品。
【請求項２】
前記中央領域の長手方向の外側において前記中央領域に隣接し、かつ平面視において前記粒状層に重なる長手側部領域を有する、請求項１に記載の吸収性物品。
【請求項３】
前記粒状層は、前記吸収体より非肌当接面側に配置され、平面視において前記吸収体の外縁を跨ぐ、請求項１又は２に記載の吸収性物品。
【請求項４】
前記長手方向に沿って伸縮可能な収縮部と、前記収縮部よりも幅方向の外側に位置し、防漏壁の立ち上がりの起点となる固定端と、を有する起立性の防漏壁を有し、
前記粒状層は、平面視において前記固定端に重なり、かつ前記固定端に重なる領域から幅方向の外側に延びる、請求項１乃至請求項３のいずれか一項に記載の吸収性物品。
【請求項５】
前記吸収体には、複数のスリットが形成される、請求項１乃至４のいずれか一項に記載の吸収性物品。
【請求項６】
前記粒状層は、前記吸収体と前記裏面シートとの間に設けられる、請求項１乃至５のいずれか一項に記載の吸収性物品。
【請求項７】
前記粒状層は、平面視において分離壁により分けられた複数の粒状区分から構成される、請求項１乃至６のいずれか一項に記載の吸収性物品。
【請求項８】
前記吸収体は、トウからなる繊維集合体を含む請求項１乃至７のいずれか一項に記載の吸収性物品。
【請求項９】
前記粒状体は、樹脂発泡ビーズ粒である、請求項１乃至８のいずれか一項に記載の吸収性物品。
【請求項１０】
前記粒状層は、吸水性を有する繊維を含み、
前記繊維と前記粒状体とは互いに接合されていない請求項１乃至９のいずれか一項に記載の吸収性物品。
【請求項１１】
液透過性の表面シート、液不透過性の裏面シート及び前記表面シートと前記裏面シートとの間に設けられる吸収体を有する吸収性物品であって、
前記表面シートより非肌当接面側に配置され、多数の粒状体を含む粒状層と、
前記吸収性物品の幅方向の中心を含み、かつ平面視において前記粒状層に重ならない中央領域と、
前記中央領域の幅方向の外側において前記中央領域に隣接し、かつ平面視において前記粒状層に重なる幅側部領域と、を有し、
前記粒状層は、当該粒状層に対する圧力に応じて、前記粒状体が移動し、着用者の体の形状に追従するように、前記粒状層より肌当接面側に位置する前記表面シート、前記裏面シート又は前記吸収体の形状を変形させる吸収性物品。
【発明の詳細な説明】
【技術分野】
【０００１】
本発明は、生理用ナプキン等の吸収性物品に関する。
【背景技術】
【０００２】
一般に、着用者の肌に当接する液透過性の表面シートと液不透過性の裏面シートとの間に吸収体が設けられている吸収性物品が知られている。吸収性物品のうち特に生理用ナプキンは下着により着用者の体の方に押し当てられ、着用者の体にフィットされるようにして使用される。
【０００３】
しかしながら、生理用ナプキンの使用時において、例えば下着のサイズや下着の弾性部材の状態、着用者の体勢（例えば起立時や着席時、就寝時の姿勢）によって、生理用ナプキンが着用者の体型にフィットしない場合がある。そして、例えば、着用者にとって下着のサイズが大きすぎる場合等では、排泄口と生理用ナプキンとの間に隙間が空いてしまい、体液が漏れやすくなってしまったり、着用者は体液が漏れてしまうことへの不安感を感じてしまったりする。一方、例えば、着用者にとって下着のサイズが小さすぎる場合等では、生理用ナプキンと体とが密着しすぎてしまい、心地よい装着感が損なわれ、着用者は吸収性物品の着用時に違和感を覚えてしまう。
【０００４】
ここで、特許文献１には、着用者の体に対する圧力を分散させる吸収性物品が開示されている。具体的には、特許文献１に記載の吸収性物品は、吸収性ポリマーを含む２層の吸収体コアを有し、２層の吸収体コアの間にビーズ粒等からなる移動補助材が設けられている。特許文献１に記載の吸収性物品の吸収性ポリマーにおいて体液等が吸収されると、２層の吸収体コア同士が向かい合う面に、粘性及び弾性を有するポリマー層が形成される。そして、形成されたポリマー層及びビーズ粒等からなる移動補助材により、２層の吸収体コア同士はそれぞれが向かい合う面に沿ってズレやすくなり、着用者の体に対する圧力を分散させることができる。
【先行技術文献】
【特許文献】
【０００５】
【特許文献１】特開２００８−１８３１５９号公報
【発明の概要】
【発明が解決しようとする課題】
【０００６】
しかしながら、特許文献１に記載の吸収性物品では２層の吸収体コア同士が向かい合う面に沿ってしか吸収体コアが移動しない。したがって、特許文献１に記載の吸収性物品では、吸収性物品から着用者の体方向へのフィット性を高めることができず、吸収性物品と着用者との間に隙間が生じることで体液が漏れてしまうおそれがある。
【０００７】
そこで、本発明は、上述の課題に鑑みてなされたものであり、吸収性物品の装着感を向上させるとともに、体液の漏れを防止する吸収性物品を提供することを目的とする。
【課題を解決するための手段】
【０００８】
本発明の実施形態における吸収性物品１は、液透過性の表面シート１０、液不透過性の裏面シート２０及び前記表面シートと前記裏面シートとの間に設けられる吸収体３０を有する吸収性物品であって、前記表面シートより非肌当接面側に配置され、多数の粒状体を含む粒状層６０と、前記吸収性物品の幅方向の中心ＷＣを含み、かつ平面視において前記粒状層に重ならない中央領域ＣＲと、前記中央領域の幅方向の外側において前記中央領域に隣接し、かつ平面視において前記粒状層に重なる幅側部領域ＷＳＲと、を有する。
【発明の効果】
【０００９】
本発明の実施形態によれば、吸収性物品の装着感を向上させるとともに、体液の漏れを防止する吸収性物品を提供できる。
【図面の簡単な説明】
【００１０】
【図１】本発明の実施形態における吸収性物品の肌当接面側から見た平面図である。
【図２】図１に示すＡ−Ａ断面の模式断面図である。
【図３】着用時における図１に示すＡ−Ａ断面の模式断面図である。
【図４】平面視における粒状層の移動の様子を模式的に示す図である。
【図５】断面図における粒状層の移動の様子を模式的に示す図である。
【図６】分離壁により分けられる粒状層の断面を模式的に示した図である。
【図７】本発明の実施形態の第１の変形例における吸収性物品の肌当接面側から見た平面図である。
【図８】本発明の実施形態の第２の変形例における吸収性物品の肌当接面側から見た平面図である。
【発明を実施するための形態】
【００１１】
（１）吸収性物品の全体構成
図１〜図３を参照して、本実施形態における吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の肌当接面側から見た平面図である。図２は、図１に示すＡ−Ａ断面の模式断面図である。図３は、吸収性物品の着用時における図１に示すＡ−Ａ断面の模式断面図である。本実施形態における吸収性物品１は、夜用の生理用ナプキンである。
【００１３】
吸収性物品１は、表面シート１０と、裏面シート２０と、表面シート１０と裏面シート２０との間に設けられる吸収体３０と、表面シート１０より非肌当接面側に設けられる粒状層６０とを有する。
【００１４】
中央領域ＣＲは、吸収性物品１の幅方向Ｗの中心ＷＣを含み、吸収体３０において形成される領域である。また、中央領域ＣＲは、長手方向Ｌにおいて、少なくとも着用者の排泄口に当接する部分を含む股下域を含めばよい。図１の例では、中央領域ＣＲの外縁は、吸収体３０において設けられ、吸収体３０が厚さ方向Ｔに圧縮された圧搾部３１である。すなわち、中央領域ＣＲは、吸収性物品１の平面視において吸収体３０と重なり、圧搾部３１により囲まれる領域である。ここで、吸収性物品１の平面視とは、厚み方向Ｔにおいて離れた位置から展開状態の吸収性物品１を視認したものである。また、吸収性物品１の展開状態とは、図１に示す状態であり、吸収性物品が折り畳まれてなく、ウイング部４０及びヒップフラップ部５０が厚み方向Ｔにおいて中央領域ＣＲに重なっていない状態である。圧搾部３１は、長手方向Ｌにおいて、ウイング部４０及びヒップフラップ部５０を含む長さである。なお、中央領域ＣＲの外縁は、圧搾部３１に限らず、例えば、吸収体３０において厚さ方向Ｔに厚くなっている中高部と平面視において中高部の外側の領域との境界であってもよい。中高部と中高部の外側の領域との境界は、吸収体３０の外縁３０Ｅから内側方向にかけて吸収体３０の厚さ方向Ｔの厚さが変化する（厚さ方向Ｔに厚くなる）境界である。
【００１５】
幅側部領域ＷＳＲは、中央領域ＣＲの幅方向の外側において中央領域ＣＲに隣接する領域であり、幅方向Ｗの外側に延出するウイング部４０及びヒップフラップ部５０が設けられる。図１の例では、幅側部領域ＷＳＲは、圧搾部３１より幅方向Ｗの外側の領域である。すなわち、幅側部領域ＷＳＲは、吸収体３０の外縁３０Ｅを幅方向Ｗの外側に跨ぐように形成される。
【００１６】
長手側部領域ＬＳＲは、中央領域ＣＲの長手方向の外側において中央領域ＣＲに隣接する領域である。図１の例では、長手側部領域ＬＳＲは、圧搾部３１より長手方向Ｌの外側の領域である。すなわち、長手側部領域ＬＳＲは、吸収体３０の外縁３０Ｅを長手方向Ｌの外側に跨ぐように形成される。
【００１７】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１８】
裏面シート２０は、体液等の液体を透過しない液不透過性のシートである。裏面シート２０は、平面視において表面シート１０に重なるような大きさを有する。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシート等を用いることができる。
【００１９】
吸収体３０は、体液を吸収可能な吸収材料によって形成される。吸収材料は、例えば、親水性繊維、パルプ、ＳＡＰ、トウからなる繊維集合体等を含む。
【００２０】
本実施形態における吸収体３０は、複数層のトウからなる繊維集合体及びＳＡＰを含む。
【００２１】
本実施形態における吸収体３０は、例えば、トウからなる繊維集合体を、ティッシュに載せ、その上に、ＳＡＰを、例えば、約８０ｇ／ｍ２散布し、次いで、その上に、トウからなる繊維集合体及び高吸収性ポリマー（約８０ｇ／ｍ２）を積層し、次いで、その上に、トウからなる繊維集合体及び高吸収性ポリマー（約８０ｇ／ｍ２）を積層し、その上に、ティッシュを積層し、次いで、プレス機で圧縮、例えば、３５ｋｇ／ｃｍ２の圧力で５秒間圧縮することにより形成される。
【００２２】
本実施形態における吸収体３０の坪量は、積層数、具体的な用途等によって変化するが、例えば、約１０〜約１０００ｇ／ｍ２の坪量等を有することができる。
【００２３】
ウイング部４０は、非肌当接面側に折り返し可能に構成されており、着用時に下着のクロッチ部の非肌当接面側に折り返される。
【００２４】
ヒップフラップ部５０は、ウイング部４０の長手方向Ｌの後方に位置する。ヒップフラップ部５０は、着用時に下着の非肌当接面側に折り返されずに下着の肌当接面側に配置されるように構成されている。
【００２５】
粒状層６０は、多数の粒状体と粒状体を包む包装体とを含む。粒状体は、例えば、例えばポリスチレン発泡ビーズやポリオレフィン発泡ビーズのような疎水性の樹脂発泡ビーズである。樹脂発泡ビーズは、粒径が１〜５ｍｍφ程度であり、嵩密度が０．０１〜０．１ｇ／ｃｍ３である。本実施形態における樹脂発泡ビーズは、一般にクッション又は枕や布団等の寝具に用いられるものが用いられてもよい。本実施形態の粒状層６０では、多数の樹脂発泡ビーズが包装体を構成する袋状の布地に充填されている。包装体に対して圧力が加わると、圧力に応じて包装体内を樹脂発泡ビーズが移動する。本実施形態における粒状層６０に対して圧力が加わるときの粒状体の動きは後述する。
【００２６】
粒状層６０は、平面視において幅側部領域ＷＳＲの少なくとも一部に重なるように設けられる。粒状層６０は、平面視において長手側部領域ＬＳＲに重なるように設けられてもよい。粒状層６０は、平面視において中央領域ＣＲには設けられない。すなわち、粒状層６０は、幅方向Ｗにおいて吸収体３０の幅方向の中心ＷＣで跨がっていないが、吸収体の３０の外縁３０Ｅで跨がっている。また、粒状層６０は、平面視において吸収体の外縁３０Ｅを跨ぐように設けられてもよい。
【００２７】
粒状層６０は、例えば親水性繊維、パルプ又はＳＡＰ等の吸水性を有する繊維を含み、吸収性を有する繊維と粒状体（樹脂発泡ビーズ）とが互いに接合されていないように構成してもよい。
【００２８】
図２は、吸収性物品１の図１のＡ−Ａ断面を基準とした断面図である。図２に示すように、本実施形態の吸収性物品１では、粒状層６０は、厚さ方向Ｔにおいて、吸収体３０と裏面シート２０との間に設けられる。なお、粒状層６０は表面シート１０より非肌当接面側に設けられていればよく、例えば粒状層６０は、表面シート１０と吸収体３０の間や裏面シート２０の非肌当接面側に設けられてもよい。
【００２９】
粒状層６０は、図２及び後述する図６に示すように平面視において複数の粒状区分６１から構成されるようにしてもよい。
【００３０】
図３は、吸収性物品１が着用者に着用された状態（以下、着用状態という。）の図１のＡ−Ａ断面を基準とした断面図である。図３に示す着用状態では、吸収性物品１が着用者の両脚に挟まれており、裏面シート２０の非肌当接面側に位置する下着Ｓにより肌当接面側に押し上げられている。図３に示すように、着用状態では、粒状層に対する圧力に応じて、粒状層６０（粒状区分６１）内で粒状体が自由に移動し、吸収性物品１の形状を変化させる。
【００３１】
（２）粒状層の機能
図４は、平面視における粒状層６０内の粒状体の移動の様子を模式的に示す図である。図４（Ａ）は、粒状層６０に対して圧力が掛かっていない状態である。図４（Ｂ）は、粒状層６０に対して厚さ方向Ｔの圧力Ｆ１が掛かっている状態である。図４（Ｂ）に示すように、圧力Ｆ１が掛かっている圧力の高い部分から他の圧力の低い部分に対して粒状体が移動する。
【００３２】
図５は、厚さ方向Ｔに平行な断面図における粒状層６０内の粒状体の移動の様子を模式的に示す図である。図５（Ａ）は、吸収性物品１に対して、厚さ方向Ｔの圧力Ｆ１及び幅方向Ｗの圧力Ｆ２が掛かる前の状態（圧力が掛かっていない状態）である。図５（Ｂ）は、吸収性物品１に対して、厚さ方向Ｔの圧力Ｆ１及び幅方向Ｗの圧力Ｆ２が掛かっている状態である。図５は、股下域において吸収性物品１に掛けられる圧力の変化を示したものである。図５（Ｂ）に示すように、圧力Ｆ１は、表面シート１０及び吸収体３０を介して、粒状層６０に対して掛けられる。圧力Ｆ２は、例えば着用時において吸収性物品１が脚に挟まれたときの圧力である。粒状層６０が吸収性物品の厚さ方向Ｔの圧力Ｆ１及び幅方向Ｗの圧力Ｆ２を受けると、粒状体が粒状層６０内において圧力が高い方から低い方に移動する。圧力が低い方に移動した粒状体が、平面視において重なる吸収体３０を厚さ方向Ｔに押し上げる。このように、粒状層６０により、粒状層６０に対する圧力に応じて、粒状体が粒状層６０（包装体）内を移動し、着用者の体の形状に追従するように粒状層６０より肌当接面側に配置される吸収体３０及び表面シート１０の形状を変形させることができる。したがって、吸収性物品１の着用状態では吸収性物品１に対する圧力に応じた凹凸形状が吸収体３０（表面シート１０）上で形成され、吸収性物品１が着用者の体の形状に沿うように変化する。
【００３３】
なお、着用状態における吸収性物品１に対する圧力は、厚さ方向Ｔに限らず、幅方向Ｗ及び長手方向Ｌにおいても加わる。厚さ方向Ｔの圧力が掛かる場合同様、幅方向Ｗ及び長手方向Ｌの圧力が掛かる場合においても、粒状層６０内の粒状体は圧力の高い部分から圧力の低い部分に移動する。
【００３４】
（３）粒状層の構成
図６は、粒状層６０の構成を説明するための模式断面図である。図６に示すように、粒状層６０には複数の粒状区分６１が設けられ、粒状区分６１同士は分離壁６２により分けられている。分離壁６２は、粒状層６０を複数の粒状区分６１に分ける仕切りである。なお、分離壁６２は、図６に示すように一つの包装体を線状に接合することにより形成されてもよいし、複数の別個の包装体同士を接合することにより両者が接する面状として形成されてもよい。
【００３５】
（４）第１の変形例における吸収性物品
図７に示すように、本実施形態の第１の変形例における吸収性物品１が備える吸収体３０には幅方向Ｗに沿った複数のスリット３２が形成されている。スリット３２は、長手方向Ｌに形成されてもよいし、幅方向Ｗ及び長手方向Ｌのスリット３２が組み合わされて形成されてもよい。なお、図７における吸収性物品１の符号のうち上述した実施形態と同様の構成については同符号を用いて説明を省略する。第１の変形例における吸収性物品１によれば、吸収性物品１の形状を着用者の体の形状に追従させ、吸収性物品１の装着感を向上させるとともに、体液の漏れを防止できる。
【００３６】
（５）第２の変形例における吸収性物品
図８に示すように、本実施形態の第２の変形例における吸収性物品１は、厚さ方向Ｔに起立し、長手方向Ｌに延びる一対の起立性を有する防漏壁７１を有する。防漏壁７１は、ウイング部４０及びヒップフラップ部５０を含むサイドシート７０により構成される。防漏壁７１は、長手方向Ｌに沿って伸縮可能な弾性部材により構成される収縮部７２と、収縮部７２よりも幅方向Ｗの外側に位置し、防漏壁７１の立ち上がりの起点となる固定端７３と、固定端７３より幅方向Ｗの内側に位置し、収縮部７２の一部を含み、他の部材と固定されていない自由端７４とを有する。収縮部７２は、サイドシート７０に配置される弾性部材により構成される。サイドシート７０における固定端７３を構成する部分は、接着剤や熱融着等により表面シート１０に固定されている。第２の変形例における粒状層６０は、平面視において固定端７３に重なり、かつ固定端７３に重なる領域から幅方向Ｗの外側に延びるように構成される。なお、図８における吸収性物品１の符号のうち上述した実施形態と同様の構成については同符号を用いて説明を省略する。第２の変形例における吸収性物品１によれば、吸収性物品１の装着感を向上させるとともに、体液の漏れを防止できる。さらに、防漏壁７１の固定端７３の幅方向Ｗの外側において着用者の体の形状に沿うように吸収体３０の形状が変化し、防漏壁７１による体液の横漏れを防止する効果をより高めることができる。
【００３７】
（６）作用・効果
本実施形態における吸収性物品１は、中央領域ＣＲの幅方向Ｗの外側において隣接し、かつ平面視において粒状層６０に重なる幅側部領域ＷＳＲを有する。そのため、幅側部領域ＷＳＲにおいて平面視で粒状層６０に重なる部分では、粒状層６０に含まれる多数の粒状体が吸収性物品１に対する圧力の変化に応じて移動し、体の形状に沿うように吸収性物品１の形状を変化させる。具体的には、例えば、着用時、吸収性物品１が着用者の脚に挟まれると、吸収性物品１の股下域では、幅方向Ｗの外側から幅方向Ｗの内側に向かう圧力が掛かる。また、吸収性物品１には、着用者の股下からの圧力も掛かる。よって、吸収性物品１の幅側部領域ＷＳＲに配置された粒状層６０に力が掛かり、幅側部領域ＷＳＲに配置された粒状層６０の一部の圧力が高くなる。粒状層６０内において、圧力の高い部分に重なる粒状層６０の粒状体が、圧力の低い部分の方に移動する。その結果、粒状層６０より肌当接面側の部位（吸収体３０及び表面シート１０）が、移動した粒状体により厚み方向に押し上げられる。これにより、着用者の体の形状に沿うように吸収性物品１の形状が変化する。
【００３８】
また、吸収性物品１の幅側部領域ＷＳＲに配置された粒状層６０のうち、着用者の臀部に対応する部分においては、臀部からの圧力が掛かる。圧力の変化に応じて、粒状層６０内において、圧力の高い部分に重なる粒状層６０の粒状体が、圧力の低い部分の方に移動する。これにより、粒状層６０より肌当接面側の部位（吸収体３０及び表面シート１０）が、移動した粒状体により厚み方向に押し上げられる。これにより、着用者の体の形状に沿うように吸収性物品１の形状が変化する。
【００３９】
一方、吸収性物品１が有する中央領域ＣＲでは、平面視において粒状層６０に重ならないように構成されている。また、中央領域ＣＲは、吸収性物品１の幅方向の中心ＷＣを含んで配置されている。吸収性物品１の幅方向の中心ＷＣは、着用者の排泄口に当接する領域である。当該中央領域ＣＲが着用者に密着し過ぎると、蒸れや体液の付着により装着感が悪化することがある。しかしながら、中央領域ＣＲは粒状層６０によって押し上げられないため、中央領域ＣＲが体に密着し過ぎることによる装着感の悪化を抑制できる。
【００４０】
このように、平面視において幅側部領域ＷＳＲのうち粒状層６０と重なる部分では、粒状層６０が設けられていない中央領域ＣＲに比べ、吸収性物品１のフィット性が向上し、吸収性物品１と着用者の体との間に隙間が生じなくなる。よって、中央領域ＣＲが着用者に密着し過ぎることを抑制しつつ、幅側部領域ＷＳＲを着用者に密着させることができる。これにより、吸収性物品１の装着感を向上させるとともに、中央領域ＣＲの幅方向の外側に向けて流れる体液の漏れを防止できる。
【００４１】
粒状層６０が、中央領域ＣＲの長手方向Ｌの外側の領域（長手側部領域ＬＳＲ）と中央領域ＣＲの幅方向Ｗの外側の領域（幅側部領域ＷＳＲ）とに設けられる。これにより、吸収性物品１の幅方向Ｗの中心ＷＣ、すなわち着用者の排泄口に当接する領域を含む中央領域ＣＲから、中央領域ＣＲの外側に向かって流れる体液の漏れをより効果的に抑制できる。
【００４２】
より詳細には、中央領域ＣＲの幅方向Ｗの外側に粒状層６０が配置され、中央領域ＣＲの長手方向Ｌの外側に粒状層６０が配置されていない構成にあっては、中央領域ＣＲに排出された体液が長手方向Ｌの外側に流れ、前漏れや後漏れが生じるおそれがある。しかし、中央領域ＣＲの幅方向Ｗの外側と中央領域ＣＲの長手方向Ｌの外側とに粒状層６０を配置することにより、横漏れのみならず、前漏れや後漏れも効果的に抑制できる。
【００４３】
粒状層６０が吸収体３０より非肌当接面側に配置され、平面視において吸収体３０の外縁３０Ｅを跨ぐように設けられることで、粒状体の移動によって、吸収体３０を着用者の体に押し上げて、吸収体３０が配置された領域を着用者の体の形状に追従させることができる。体に追従して配置された吸収体３０によって体液を吸収でき、体液の横漏れを効果的に防止できる。さらに、粒状層６０が、吸収体３０に吸収体３０に重なる領域から幅方向Ｗの外側に延びるため、吸収体３０よりも外側に位置する領域も着用者の体の形状に追従させることができ、吸収体３０よりも外側に体液が漏れることを抑制できる。
【００４４】
粒状層６０が、平面視において防漏壁７１の幅方向Ｗの一方の端部である長手方向Ｌに延びる固定端７３に重なり、かつ固定端７３の幅方向Ｗの外側に設けられることで、固定端７３の幅方向Ｗの外側では、吸収体３０のうち圧力の低い部分が、移動した粒状体により厚み方向Ｔに押し上げられる。これにより、防漏壁７１の固定端７３の幅方向Ｗの外側において着用者の体の形状に沿うように吸収性物品１の形状が変化し、防漏壁７１による体液の横漏れを防止する効果をより高めることができる。また、平面視において粒状層６０と固定端７３とが離間していると、防漏壁７１の固定端７３と体とが離れて配置され、防漏壁７１による横漏れ防止効果を得難くなることがある。しかし、防漏壁７１の固定端７３が平面視において粒状層６０に重なるため、粒状層６０によって防漏壁７１の固定端７３を体に追従して配置でき、防漏壁７１による横漏れ防止効果を得やすくなる。
【００４５】
吸収性物品１が有する粒状層６０に加え、吸収体３０にスリットが形成されることにより、より体の形状に追従しやすくし、吸収性物品１の装着感を向上できる。具体的には、吸収性物品１のスリット３２と直交する方向への折り曲げ（変形）が容易になる。その結果、吸収性物品１の形状が着用者の体に追従しやすくなり、吸収性物品１の装着感が向上する。
【００４６】
粒状層６０が吸収体３０と裏面シート２０との間に設けられることにより、粒状層６０が表面シートと吸収体３０との間に設けられる場合に比べ、表面シート１０を介して吸収体３０が体液を吸収するため、吸収性物品１の吸収能力を低下させることがない。
【００４７】
粒状層６０は、平面視において分離壁６２により分けられた複数の粒状区分６１から構成される。例えば、粒状層６０が分離壁６２に分けられてない場合、ある一方向に粒状体が偏ってしまい、吸収性物品１の部分によっては着用時において圧力の変化に応じて移動する粒状体が少ない場合等が発生しうる。本発明の吸収性物品１のように、粒状層６０を分離壁６２により分けることにより、粒状層６０に含まれる粒状体のある方向への偏りを減らし、着用時の圧力の変化の大きさが異なる部位に応じて適当な量の粒状体を配置できる。すなわち、粒状区分６１を吸収性物品１の全体（広範囲）に渡って配置することで、吸収性物品１の全体（広範囲）において、圧力の変化に応じて吸収性物品１の形状を着用者の体の形状に追従させるようにすることができる。
【００４８】
吸収体３０は、トウからなる繊維集合体を含む。吸収体３０に、より嵩高になるトウからなる繊維集合体を用いることで、着用時の体と吸収性物品１とが接しやすくなり、装着感を向上できる。
【００４９】
粒状層６０に含まれる粒状体が、流動性の高い樹脂発泡ビーズ粒であることにより、粒状層６０（包装体）内を移動しやすく、吸収性物品１の形状が体の形状に追従しやすく変形できる。
【００５０】
粒状層６０は、吸水性を有する繊維を含み、粒状層６０に含まれる吸収性を有する繊維と粒状体とは互いに接合されていないように構成される。これにより、粒状層６０においても体液の吸収が可能となり、吸収性物品１の吸収能力を向上させることができる。
【００５１】
（７）その他の実施形態
本実施形態の吸収性物品は、夜用の生理用ナプキンであるが、下着により体に押し当てて使用される吸収性物品であればよく、他の実施形態として、昼用の生理用ナプキンやパンティライナー、尿取りパッドであってもよい。また、生理用ナプキンは、ヒップフラップを備えていなくてもよい。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
１        吸収性物品
１０      表面シート
２０      裏面シート
３０      吸収体
３０Ｅ    吸収体の外縁
３１      圧搾部
３２      スリット
４０      ウイング部
５０      ヒップフラップ部
６０      粒状層
６１      粒状区分
６２      分離壁
７０      サイドシート
７１      防漏壁
７２      収縮部
７３      固定端
７４      自由端
Ｌ        長手方向
Ｗ        幅方向
ＷＣ      幅方向中心
Ｔ        厚さ方向
ＣＲ      中央領域
ＬＳＲ    長手側部領域
ＷＳＲ    幅側部領域
【図１】
0006333716.tif 000002
【図２】
0006333716.tif 000003
【図３】
0006333716.tif 000004
【図４】
0006333716.tif 000005
【図５】
0006333716.tif 000006
【図６】
0006333716.tif 000007
【図７】
0006333716.tif 000008
【図８】
0006333716.tif 000009